(57)【要約】【課題】ヘテロジーニアス移動通信システムを提供する。【解決手段】少なくとも１つの回線網に少なくとも１つのパケット網が重畳されたヘテロジーニアス移動通信システムで、回線網またはパケット網に接続可能であり、接続網の転換に従って新たに接続された網に登録する移動端末(Hybrid Access Terminal；ＨＡＴ)にプッシュデータを伝送するためのシステムであって、回線網及びパケット網から移動端末の接続状態及び連結情報を獲得し、外部からの要請に応じて、移動端末の接続網の転換を要請するパケットサービス移動交換器(Packet Service & Mobility Gateway；ＰＳＭＧ)と、プッシュデータを伝送する移動端末の接続情報をパケットサービス移動交換器から獲得して、移動端末がプッシュデータに従って選択された網に接続するように要請するメッセージをパケットサービス移動交換器に伝送するプッシュデータ中継器(Push Proxy Gateway；ＰＰＧ)と、を含む。【選択図】図２
2005094778.tif 000002
【特許請求の範囲】
【請求項１】
少なくとも１つの回線網に少なくとも１つのパケット網が重畳されたヘテロジーニアス移動通信システムで、前記回線網またはパケット網に接続可能であり、接続網の転換に従って新たに接続された網に登録する移動端末(Hybrid Access Terminal；ＨＡＴ)にプッシュデータを伝送するためのシステムであって、
前記回線網及びパケット網から移動端末の接続状態及び連結情報を獲得し、外部からの要請に応じて移動端末の接続網の転換を要請するパケットサービス移動交換器(Packet Service & Mobility Gateway；ＰＳＭＧ)と、
プッシュデータを伝送する移動端末の接続情報を前記パケットサービス移動交換器から獲得して、前記移動端末がプッシュデータに従って選択された網に接続するように要請するメッセージをパケットサービス移動交換器に伝送するプッシュデータ中継器(Push Proxy Gateway；ＰＰＧ)と、
を含むことを特徴とするシステム。
【請求項２】
前記プッシュデータ中継器は、
プッシュデータを選択された網を通じて移動端末に伝送することを特徴とする請求項１記載のシステム。
【請求項３】
特定の移動端末に伝送するプッシュデータを生成し、前記プッシュデータ中継器が前記発生したプッシュデータを前記特定の移動端末へ伝送することを要請するプッシュ初期化器(Push Initiator；ＰＩ)をさらに含むことを特徴とする請求項２記載のシステム。
【請求項４】
前記プッシュ初期化器は、
前記プッシュデータ中継器からプッシュデータに従う選択網の情報を受信して、前記選択網を通じてプッシュデータを特定の移動端末に伝送することを特徴とする請求項３記載のシステム。
【請求項５】
前記プッシュデータ中継器は、
前記プッシュデータを伝送する移動端末がプッシュサービスを受信できるか否かに従ってプッシュデータを伝送することを特徴とする請求項１記載のシステム。
【請求項６】
前記プッシュデータ中継器は、
移動端末の接続網の転換要請のときに、タイマーを駆動させて、前記タイマーが終了される以前に、該当移動端末の連結情報が受信される場合に、プッシュデータを伝送することを特徴とする請求項１記載のシステム。
【請求項７】
前記パケットサービス移動交換器は、
前記選択網がパケット網であり、該当移動端末が音声通話中である場合に、音声通話が終了された後に、該当移動端末にパケット網転換接続を要請することを特徴とする請求項１記載のシステム。
【請求項８】
少なくとも１つの回線網に少なくとも１つのパケット網が重畳されたヘテロジーニアス移動通信システムで、前記回線網またはパケット網に接続可能であり、接続網の転換に従って新たに接続された網に接続状態及び連結情報を登録する移動端末(Hybrid Access Terminal；ＨＡＴ)にプッシュデータを伝送するための方法であって、
プッシュデータが発生すると、プッシュデータ中継器により、パケットサービス移動交換器から前記プッシュデータが伝達されるべき移動端末の接続状態及び連結情報を要請するステップと、
前記パケットサービス移動交換器により、前記要請された移動端末の接続状態及び連結情報を検出して前記プッシュデータ中継器に伝送するステップと、
該当移動端末がプッシュデータの特性に該当する選択網に接続されなければ、前記プッシュデータ中継器により、前記移動端末が前記パケットサービス移動交換器を通じて選択網に転換するように要請信号を生成するステップと、
を含んでなることを特徴とする方法。
【請求項９】
前記パケットサービス移動交換器により、選択網に転換した移動端末の連結情報を獲得して前記プッシュデータ中継器に伝送するステップと、
前記プッシュデータ中継器により、前記連結情報を利用して前記プッシュデータを該当移動端末に伝送するステップと、をさらに含むことを特徴とする請求項８記載の方法。
【請求項１０】
前記プッシュデータを伝送する前記移動端末がプッシュサービスを受信できるか否かに従って、前記プッシュデータ中継器により、前記プッシュデータを伝送するステップをさらに含むことを特徴とする請求項８記載の方法。
【請求項１１】
前記プッシュデータ中継器が前記移動端末の接続網の転換要請信号を受信すると、前記プッシュデータ中継器により、予め設定された時間の内に該当移動端末の連結情報をパケットサービス移動交換器から受信する場合に、前記プッシュデータを伝送するステップをさらに含むことを特徴とする請求項８記載の方法。
【請求項１２】
前記選択網が回線網であり、該当移動端末が音声通話中である場合に、前記パケットサービス移動交換器により、前記移動端末の音声通話が終了されたか否かを判断して、該当移動端末に転換接続要請を伝送するステップをさらに含むことを特徴とする請求項８記載の方法。
【発明の詳細な説明】
【技術分野】
【０００１】
本発明は、移動通信システムでのデータプッシュサービスシステム及び方法に関し、特に、ヘテロジーニアスネットワークを通じたデータプッシュサービスシステム及び方法に関する。  
【背景技術】
【０００２】
インターネットに接続した使用者に伝達されるデータサービス形態の１つとして、データプッシュサービスが幅広く使用される。このデータプッシュサービスとは、移動通信網で提供する短文メッセージサービス(ＳＭＳ)のような機能をＩＰ網を通じて提供する形態のサービスである。すなわち、データプッシュサービスに加入した使用者に伝達するデータが発生するときごとに使用者が要請しなくても、サーバーが使用者に伝達することができるサービスであり、単純な文字情報のみならず、映像及び音声を含むマルチメディア形態の情報も提供することができる。
【０００３】
以下に、移動通信網を通じたデータプッシュサービスについて図１を参照して説明する。
【０００４】
図１を参照すると、プッシュ初期化器(Push Initiator；以下、ＰＩと称する。)１００から使用者に伝達するデータが発生すると、プッシュ中継器(Push Proxy Gateway；以下、ＰＰＧと略称する。)１１０にプッシュ要請を伝達する。このとき、端末(Access Terminal；ＡＴ)１３０とパケットデータサービスノード(Packet Data Service Node : 以下、ＰＤＳＮと略称する。)１２０との間に点対点プロトコル(Point to Point Protocol； 以下、ＰＰＰと略称する。)セッションが存在し、ＡＴ１３０のＩＰアドレスをＰＰＧ１１０が知っていると、ＰＰＧ１１０は、ＰＤＳＮ１２０を通じてＡＴ１３０にプッシュデータを伝達する。しかしながら、ＡＴ１３０とＰＤＳＮ１２０との間にＰＰＰ連結が存在しないか、またはＰＰＧ１１０がＡＴ１３０のＩＰアドレスを判断できない場合に、ＩＰ網を通じてプッシュデータを伝達することができないので、ＰＰＧ１１０が短文メッセージサービスセンター(Short Message Service Center；ＳＭＳＣ)１４０に要請して、プッシュデータを短文メッセージに変換してＭＳＣ(Mobile Switching Center)１５０を通じてＡＴ１３０へ伝達する。 
【０００５】
しかしながら、移動通信システムでの上述したデータプッシュサービス方法は、プッシュデータを短文メッセージに変換することができないか、またはマルチメディアサービスのように、ＰＩまたはＰＰＧとＡＴとの間にＩＰ連結がかならず必要な場合には、信頼性あるデータプッシュサービスを提供することが不能であるという問題点がある。
【０００６】
一方、最近、急速な通信技術の発展と使用者の要求に応じて、使用者にデータサービスを提供することができる多様な種類の無線接続技術と端末が紹介されている。その中で、ヘテロジーニアス(Heterogeneous)ネットワーク環境という相互に異なる無線接続技術を使用する多様な接続網が混合された移動通信環境が紹介された。また、ヘテロジーニアスネットワーク環境で使用者の選択またはサービス種類、そして、無線環境の変化に応じて、最適の接続網を選択して接続することができる特定のＡＴを、ハイブリッドアクセスターミナル(Hybrid Access Terminal；以下、“ＨＡＴ”と略称する。)と呼ぶ。
【０００７】
上述したデータプッシュサービス方法をこのヘテロジーニアスネットワーク環境に適用するとしても、ヘテロジーニアスネットワーク環境では、ＡＴが多様な種類の接続網に接続することができる。従って、ＰＰＧがＡＴの接続状態を正確に管理するためには、ＡＴが接続可能なすべての種類の接続網からＡＴの接続状態を獲得しなければならないという問題点があった。 
【発明の開示】
【発明が解決しようとする課題】
【０００８】
上記背景に鑑みて、本発明の目的は、ヘテロジーニアスネットワーク環境で端末が最適の接続網を通じてプッシュデータを伝達することができるシステム及び方法を提供することにある。
【０００９】
本発明の他の目的は、プッシュデータの伝送のときに、既存の網構成要素に要求される修正事項を最小にすることができるシステム及び方法を提供することにある。
【課題を解決するための手段】
【００１０】
このような目的を達成するために、本発明の一実施形態によれば、少なくとも１つの回線網に少なくとも１つのパケット網が重畳されたヘテロジーニアス移動通信システムで、この回線網またはパケット網に接続可能であり、接続網の転換に従って新たに接続された網に登録するＨＡＴにプッシュデータを伝送するためのシステムであって、この回線網及びパケット網から移動端末の接続状態及び連結情報を獲得し、外部からの要請に応じて移動端末の接続網の転換を要請するＰＳＭＧと、プッシュデータを伝送するＨＡＴの接続情報をこのＰＳＭＧから獲得して、このＨＡＴがプッシュデータに従って選択された網に接続するように要請するメッセージをこのＰＳＭＧに伝送するＰＰＧと、を含むことを特徴とする。
【００１１】
また、本発明の他の実施形態によれば、少なくとも１つの回線網に少なくとも１つのパケット網が重畳されたヘテロジーニアス移動通信システムで、この回線網またはパケット網に接続可能であり、接続網の転換に従って新たに接続された網に接続状態及び連結情報を登録するＨＡＴにプッシュデータを伝送するための方法であって、プッシュデータが発生すると、ＰＰＧにより、ＰＳＭＧからこのプッシュデータが伝達されるべきＨＡＴの接続状態及び連結情報を要請するステップと、このＰＳＭＧにより、この要請されたＨＡＴの接続状態及び連結情報を検出してこのＰＰＧに伝送するステップと、該当ＨＡＴがプッシュデータの特性に該当する選択網に接続されなければ、このＰＰＧにより、このＨＡＴがこのＰＳＭＧを通じて選択網に転換するように要請信号を生成するステップと、を含んでなることを特徴とする。
【発明の効果】
【００１２】
本発明は、セルラー移動通信技術と無線ＬＡＮ／ＭＡＮのような無線接続技術とを整合して、データプッシュサービスを提供することができ、ヘテロジーニアスネットワーク環境で信頼性あるデータプッシュサービスを提供することができる。さらに、ヘテロジーニアスネットワーク環境で最適の接続網を通じてプッシュデータを伝達することができる。
【発明を実施するための最良の形態】
【００１３】
以下、本発明の好適な実施形態について添付図を参照しつつ詳細に説明する。下記説明において、本発明の要旨のみを明瞭するために公知の機能又は構成に対する詳細な説明は省略する。なお、図面中、同一な構成要素及び部分には、可能な限り同一な符号及び番号を共通使用するものとする。
【００１４】
本発明の実施形態は、ヘテロジーニアスネットワーク環境で最適の接続網を通じて信頼性あるデータプッシュサービスを提供する。
【００１５】
図２は、本発明の実施形態に従うヘテロジーニアスネットワークを通じたデータプッシュサービスシステムの構造を示すブロック図である。図２を参照すると、パケットデータサービスノード(Packet Data Service Node；以下、ＰＤＳＮと略称する。)２２０は、符号分割多重接続(Code Division Multiple Access；ＣＤＭＡ) １Ｘ２４０及び１ｘＥＶＤＯ(1x First Evolution Data Only)２５０網の基地局と連動し、アクセスルーター(Access Router；ＡＲ)２２０は、無線ＬＡＮ(Local Area Network)／ＭＡＮ(Metropolitan Area Network)網の基地局と連動する。しかし、ＰＤＳＮ２２０とＡＲ２２０は、同一の機能を遂行するので、図２では、“ＰＤＳＮ／ＡＲ２２０”と呼ばれる。以下、説明の便宜上、同一の参照符号を使用しても、それぞれ連動する網に従って、ＰＤＳＮ及びＡＲを区分して説明する。
【００１６】
ヘテロジーニアスネットワークは、既存の多様な接続網、例えば、ＣＤＭＡ−２０００ １Ｘ２４０、１ｘＥＶＤＯ２５０、及び無線ＬＡＮ／ＭＡＮ２６０と、この多様な接続網を通じてサービス網に接続する使用者に回線網とパケット網との間の連動サービスを提供するためのパケットサービス移動交換器(Packet Service & Mobility Gateway；以下、“ＰＳＭＧ”と略称する。)２１０と、から構成されている。
【００１７】
プッシュ初期化器(Push Initiator；以下、ＰＩと略称する。)２００は、使用者に伝送するプッシュデータが発生すると、プッシュデータ中継器(Push Proxy Gateway；以下、ＰＰＧと略称する。)２０５にプッシュデータを直接に伝送するか、またはＰＰＧ２０５から端末までの連結情報を要請する。
【００１８】
ＰＰＧ２０５は、ＰＩ２００が伝達したプッシュデータを無線接続網を通じて使用者に伝達する機能をする。ＰＩ２００がプッシュ要請を伝達すると、ＰＳＭＧ２１０に端末の状態を問い合わせて最適の接続網を選択し、ＰＳＭＧ２１０が伝達した連結情報を使用してプッシュデータを端末に伝達する。
【００１９】
ＰＳＭＧ２１０は、ＩＳ−４１基盤のプロトコルを使用する加入者位置登録器(Home Location Register；以下、ＨＬＲと省略する。)２３１と、サービスインターネットプロトコル(Service Internet Protocol；以下、ＳＩＰと略称する。)を使用するＰＤＳＮ／ＡＲ２２０と、ＳＩＰサーバー(図示せず)とに連結されている。そして、ＰＳＭＧ２１０は、ＩＳ−４１とＳＩＰとの間のプロトコル変換を遂行し、ＨＡＴからの位置登録及びＰＤＳＮ／ＡＲ２２０からのＳＩＰ登録ステップを通じて、使用者及びＨＡＴの接続状態を管理する。このとき、ＰＳＭＧ２１０が管理するＨＡＴの接続状態は、“On Packet State”と“On Circuit State”とを構成する。また、ＰＳＭＧ２１０は、多様な接続網を通じてインターネットプロトコル(Internet Protocol；以下、ＩＰと略称する。)ネットワークに接続する加入者に対する位置管理を遂行するためにＳＩＰレジスタの機能を遂行し、ＨＡＴの位置登録ステップを通じて受信した加入者情報に基づいて、ＭＩＮ、ＩＰアドレス、ＮＡＩ情報などの相互連結関係データを管理する。
【００２０】
このＨＡＴが相互に異なる種類の接続網の間を移動するときごとにＰＳＭＧ２１０に登録されるので、ＰＳＭＧ２１０はＨＡＴの位置情報のみならず、接続状態及び連結情報を管理することができる。ＰＳＭＧ２１０はＨＡＴの連結情報の要請を受信し、ＨＡＴが接続している接続網とＰＰＧ２０５が要請する接続網が異なると判断すると、ＨＡＴに接続網の転換要請を伝達する。
【００２１】
ＰＳＭＧ２１０と連結されたＨＬＲ２３１は、サービス網に接続する使用者に対するサービスプロファイルが貯蔵され、サービスプロファイルに基づいて、ＨＡＴ及び加入者に対する位置管理、状態管理、及び認証機能を遂行することによって、移動性を有する使用者に自動ローミングサービスを提供する。このような一般的な機能の以外に、ＨＬＲ２３１は、回線網とパケット網との間の連動サービスのために、ＨＡＴのハイブリッド動作(hybrid operation)に関連した情報だけでなく、回線網に接続した使用者の音声及びデータ呼の着信に関連したサービスプロファイルも貯蔵する。そして、ＨＡＴまたは公衆電話網(Public Switched Telephone Network；ＰＳＴＮ)(図示せず)が伝達する着信呼を処理するときに、ＨＡＴの種類がヘテロジーニアスネットワークに適用されるＨＡＴであることを区分する。ここで、ＨＡＴの種類は、加入者情報に含まれて貯蔵される。
【００２２】
ＰＳＭＧ２１０及びＳＩＰに連結されたＰＤＳＮ／ＡＲ２２０は、点対点プロトコル(Point to Ponit Protocol；以下、“ＰＰＰ”と略称する。)連結を通じてＨＡＴとの２階層連結を形成する。そして、ＰＤＳＮ／ＡＲ２２０は、ＩＰアドレスの割当て及びＩＰパケットのルーティング機能、移動ＩＰサービスのための周波数割当て(Frequency Assignment；ＦＡ)機能、課金及び認証のための認証サーバー(図示せず)との連動機能、及びサービス品質(Quality of Service;ＱｏＳ)支援機能などを遂行する。このような一般的な機能の以外に、ＰＤＳＮ／ＡＲ２２０は、回線網とパケット網との間の連動サービスを支援するために、下記のような機能を遂行する。
【００２３】
ＰＤＳＮ／ＡＲ２２０は、シンプル(Simple)ＩＰサービスに加入した使用者のＨＡＴがＳＩＰ登録ステップを遂行すると、ＰＳＭＧ２１０にＳＩＰ登録メッセージを伝達し、移動ＩＰサービスに加入した使用者のＨＡＴが移動ＩＰ登録ステップを遂行すると、ＰＳＭＧ２１０にＳＩＰ登録メッセージを伝達する。そして、ＨＡＴがＰＤＳＮ／ＡＲ２２０とのＰＰＰ連結を保持しつつ、多様な接続網の間を移動するときごとに、ＰＳＭＧ２１０にＳＩＰ登録メッセージを伝達する。
【００２４】
また、ＰＤＳＮ／ＡＲ２２０は、“On Circuit”状態のＨＡＴに伝達されるＩＰパケットを受信すると、ＨＡＴがパケットアクセスネットワーク(ＡＮ)を通じて接続するときまで、ＩＰパケットに対するバッファリングを遂行し、ＨＡＴからＳＩＰまたはＨＡＴのＩＰ登録データ、ＨＬＲ２３１からの通知データを受信して、使用者及びＨＡＴの接続状態を管理する。このとき、ＰＤＳＮ／ＡＲ２２０が管理するＨＡＴの接続状態がパケット網と通信する状態であれば、この状態を“On Packet”状態と呼ぶ。一方、ＰＤＳＮ／ＡＲ２２０が管理するＨＡＴの接続状態が回線網と通信する状態であれば、この状態を“On Circuit”状態と呼ぶ。  
【００２５】
このようなネットワークの構成要素の以外に、ＣＤＭＡ−２０００ １ｘ網２４０の基地局、１ｘＥＶＤＯ網２５０の基地局、及びアクセスポイント(Access Point；ＡＰ)を含む無線ＬＡＮ／ＭＡＮ網の内部の構成要素は、一般的によく知られているもので、具体的な説明は省略する。また、ＣＤＭＡ−２０００ １ｘ網に連結された複数の交換機(ＭＳＣ／ＶＬＲｓ)１３２についての説明もよく知られているもので、具体的な説明は省略する。 
【００２６】
プッシュ要請または連結要請を受信したＰＰＧ２０５は、ＰＳＭＧ２１０とＰＰＧ２０５との間に定義されたインターフェースを通して、ＨＡＴに関連した接続状態及び連結状態情報を獲得する。ＰＳＭＧ２１０がＰＰＧ２０５にＩＰアドレスを含む連結情報を伝達すると、ＰＰＧ２０５は、ＨＡＴにプッシュデータを直接に伝達するか、またはＰＰＧ２０５から連結情報を受信したＰＩ２００は、ＨＡＴにプッシュデータを伝達する。
【００２７】
図３は、本発明に従うヘテロジーニアスネットワークを通じたプッシュデータサービス方法を説明するためのフローチャートである。
【００２８】
図３を参照すると、ステップ３００で、加入者に伝達するプッシュデータが発生する。このプッシュデータは、短文メッセージのように、１回の伝送のみでＨＡＴに伝達することができるプッシュデータであり得ると共に、マルチメディアメッセージのように、ＰＩ２００とＨＡＴとの間にＴＣＰまたはＵＤＰセッション及びＩＰアドレスを含むＩＰ連結を要求することもできる。
【００２９】
発生したプッシュデータが短文メッセージのように１回の伝送のみでＨＡＴに伝達することができるデータである場合に、ＰＩ２００は、ステップ３７０で、プッシュデータをプッシュ要請メッセージに含んでＰＰＧ２０５に伝達する。
【００３０】
しかしながら、この発生したプッシュデータがＩＰ連結を要求する場合には、ステップ３１０で、ＰＩ２００は、ＰＰＧ２０５に連結要請メッセージを伝達する。上記のような２つの場合に、ＰＩ２００は、メッセージの内の加入者を区分するための加入者ＵＲＩ(Uniform Resource Identifier)を含む。  
【００３１】
プッシュ要請または連結要請メッセージを受信したＰＰＧ２０５は、ステップ３２０で、ＡＡＡ(Authorization and Accounting)サーバーから加入者情報を検索してプッシュサービスが許容された加入者であるか否かを判断する。ステップ３２０で、この加入者がプッシュサービスが許容されない加入者である場合に、ＰＰＧ２０５は、プッシュ要請を拒絶する。しかしながら、ステップ３２０で、この加入者がプッシュサービスが許容された加入者であれば、ＰＰＧ２０５は、ステップ３３０で、ＰＳＭＧ２１０にＨＡＴの接続状態を問い合わせて、ＨＡＴの接続状態を獲得する。そうすると、ＰＰＧ２０５は、ステップ３４０で、加入者プロファイルとステップ３４０で受信したＨＡＴの接続状態、そして、プッシュデータの特性に従って最適の接続網を選択する。ＰＰＧ２０５が最適の接続網を選択する具体的なアルゴリズムは、本発明で重要な部分ではないので、ここでは、その詳細な説明を省略する。
【００３２】
最適の接続網を選択したＰＰＧ２０５は、ステップ３５０で、ＨＡＴが現在最適の接続網に接続したか否かを判断する。ステップ３５０で、ＨＡＴが最適の接続網に接続されている状態であれば、ＰＰＧ２０５は、ステップ３６０で、ＰＳＭＧ２１０からＨＡＴのＩＰアドレスなどの連結情報を獲得する。ＰＩ２００またはＰＰＧ２０５は、ステップ３７０で、この獲得したＩＰアドレスを利用してプッシュデータをＨＡＴに直接に伝達する。
【００３３】
一方、ステップ３５０で、ＨＡＴが最適の接続網に接続されなければ、ＰＰＧ２０５は、ステップ３８０で、ＨＡＴの現在の接続網を最適の接続網に転換させる。ＰＰＧ２０５は、接続網の転換を要請するとともにタイマーを駆動させる。そして、ステップ３９０で、ＰＰＧ２０５は、このタイマーが終了する前に、このＨＡＴが最適の接続網に転換したか否かを判断する。ステップ３９０で、このＨＡＴがタイマーが終了する以前に、最適の接続網に転換すると、ＰＰＧ２０５は、このステップ３６０に進行する。 
【００３４】
しかしながら、ステップ３９０で、タイマーが終了する以前に、このＨＡＴが最適の接続網に転換しなかったら、ＰＰＧ２０５は、ステップ３９５でプッシュデータを伝達することができない。
【００３５】
以下に、本発明に従うヘテロジーニアスシステムでのプッシュデータ伝送方法の多様な実施形態について説明する。  
【００３６】
まず、図４を参照すると、１ｘＥＶＤＯ接続網に接続したＨＡＴがアイドル状態でタイマーの終了によって１Ｘ接続網に転換して、１Ｘインターフェースのみ監視する場合にプッシュデータが発生し、このＨＡＴが１ｘＥＶＤＯ網に接続してプッシュデータを受信する。これについて詳細に説明する。
【００３７】
図４を参照すると、このＨＡＴは、ステップ４００で、１ｘＥＶＤＯアイドル状態から１Ｘ接続網に転換するときに、１Ｘ ＢＳＳ２４０にレジスタメッセージを伝達する。これによって、ＭＳＣ２３２及びＨＬＲ２３１を通じてＰＳＭＧ２１０にＨＡＴが回線網に接続したことを示す特定の情報を知らせる。ＰＩ２００でプッシュデータが発生すると、ステップ４１０で、加入者ＵＲＩを含むプッシュ要請メッセージをＰＰＧ２０５に伝達する。プッシュ要請を受信したＰＰＧ２０５は、ステップ４１１で、ＨＡＴの接続状態を知るために、加入者ＵＲＩを含むＨＡＴの状態問合せメッセージをＰＳＭＧ２１０に伝達する。ＨＡＴの状態問合せメッセージを受信したＰＳＭＧ２１０は、ステップ４１２で、データベース(ＤＢ)から必要な情報を検索して、ＵＲＩに該当するＨＡＴの接続状態、ＩＰアドレス、ＭＩＮ番号、接続網の種類を含むＨＡＴの状態伝達メッセージをＰＰＧ２０５に伝送する。このとき、ＨＡＴが回線網に連結されるか、またはＩＰアドレスが割り当てられない場合には、ＨＡＴの状態伝達メッセージにＩＰアドレスを含まない。ＨＡＴの状態伝達メッセージを受信したＰＰＧ２０５が接続網の種類を確認した結果、ＨＡＴがＣＤＭＡ−２０００ １Ｘ接続網に接続した状態であるので、ステップ４２０で、ＰＰＧ２０５が選択した接続網の種類を含むＨＡＴの連結要請メッセージをＰＳＭＧ２１０に伝達する。このような場合に、ＰＰＧ２０５が１ｘＥＶＤＯ接続網を選択したものと仮定する。
【００３８】
ＨＡＴの連結要請メッセージを受信したＰＳＭＧ２１０は、ステップ４２１で、接続網の種類に該当するサービスオプション値とＨＡＴのＭＩＮ番号を含むＨＡＴの転換要請メッセージをＨＬＲ２３１に伝達する。サービスオプション値の例として、１ｘＥＶＤＯ接続網のサービスオプション値は、‘５９’である。それ以外の接続網に該当するサービスオプション値は、必要に応じて定められることができる。ＨＡＴの転換要請メッセージを受信したＨＬＲ２３１は、ステップ４２２で、位置情報ＤＢからＨＡＴが接続中のＭＳＣ２３２のＩＤを検索し、ＭＩＮ番号とサービスオプション値を含む転換要請メッセージをＭＳＣ２３２に伝達する。
【００３９】
転換要請メッセージを受信したＭＳＣ２３２は、ステップ４２３で、１Ｘ ＢＳＳ２４０を通してページング要請をＨＡＴに伝達し、ステップ４３０で、転換応答メッセージをＨＬＲ２３１に伝達する。ＨＬＲ２３１は、ステップ４３１で、ＨＡＴの転換応答メッセージをＰＳＭＧ２１０に伝達し、ＰＳＭＧ２１０は、ステップ４３２で、ＨＡＴの連結応答メッセージにＨＡＴの転換が開始されたことを表示してＰＰＧ２０５に伝達する。１ｘアイドル状態でページングメッセージを受信したＨＡＴは、サービスオプションを検査して、１ｘＥＶＤＯ網への転換が必要であることを判断し、ステップ４４０で、１ｘＥＶＤＯ連結を設定する。必要な場合に、ステップ４５０で、このＨＡＴは、ＰＤＳＮ２２０とのＰＰＰ設定を通じてＩＰアドレスが新たに割り当てられる。
【００４０】
１ｘＥＶＤＯ網への転換を完了したＨＡＴは、ステップ４６０で、自分のＩＰアドレスと接続網の種類を含むＳＩＰレジスタメッセージをＰＳＭＧ２１０に伝達する。ＳＩＰレジスタメッセージを受信したＰＳＭＧ２１０は、ステップ４７０で、ＤＢに加入者のＩＰアドレス、接続網の種類を貯蔵し、ＨＡＴに‘２００ ＯＫ’応答メッセージを伝達し、ステップ４７１で、ＨＡＴのＩＰアドレスと接続網の種類を含むＨＡＴの連結応答メッセージをＰＰＧ２０５に伝達する。ＨＡＴの連結応答メッセージを受信したＰＰＧ２０５は、ＨＡＴのＩＰアドレスを使用してプッシュデータをＨＡＴに伝達する。上述したＰＰＧ２０５、ＰＳＭＧ２１０、ＨＬＲ２３１とＨＡＴの動作は、１ｘパケットデータセッションを保持するか、または無線ＬＡＮまたは無線ＭＡＮに接続した後に、１Ｘアイドル状態でページングメッセージを受信したＨＡＴが１ｘＥＶＤＯ接続網に接続して、プッシュデータを伝達する場合にも適用することができる。
【００４１】
二番目に、図５を参照して、１ｘＥＶＤＯ接続網に接続したＨＡＴが１Ｘ接続網に転換して、１Ｘインターフェースのみ監視するときにプッシュデータが発生し、ＨＡＴが無線ＬＡＮに接続してプッシュデータを受信する場合の例を説明する。 
【００４２】
図５を参照すると、ＰＩ２００でプッシュデータが発生した後に、１ｘＥＶＤＯ網への転換要求がＨＡＴに伝達されるときまでのステップ５００〜ステップ５３２は、上述した第１の実施形態のステップ４００〜ステップ４３１と同一であるので、その詳細な説明を省略する。１ｘアイドル状態でページングメッセージを受信したＨＡＴは、ステップ５４０で、サービスオプション情報を検査して１ｘＥＶＤＯ網の転換が必要であることを判断し、１ｘＥＶＤＯ網の接続を試みる。この場合に、ＨＡＴが予め定められている１ｘＥＶＤＯ領域に存在していることを判断して、ステップ５４０で、１ｘＥＶＤＯ網の代わりに無線ＬＡＮに接続され、ステップ５５０で、ＨＡＴとＡＲとの間のＩＰ設定プロセス(例えば、ＤＨＣＰ(Dynamic Host Configuration Protocol))を通じて新たなＩＰアドレスが割り当てられる。無線ＬＡＮへの転換を終了したＨＡＴは、ステップ５６０で、新たなＩＰアドレスと接続網の種類を含むＳＩＰレジスタメッセージをＰＳＭＧ２１０に伝達する。ＨＡＴからＳＩＰレジスタメッセージを受信したＰＳＭＧ２１０は、ステップ５７０で、ＤＢに加入者の新たなＩＰアドレス、接続網の種類を貯蔵し、ＨＡＴ‘に２００ ＯＫ’応答メッセージを伝達する。ステップ５８０で、ＰＳＭＧ２１０は、ＨＡＴの新たなＩＰアドレスと接続網の種類を含むＨＡＴの連結応答メッセージをＰＰＧ２０５に伝達する。ＨＡＴの連結応答メッセージを受信したＰＰＧ２０５は、ステップ５９０で、ＨＡＴのＩＰアドレスを用いてプッシュデータをＨＡＴに伝達する。この場合に、ＰＰＧ２０５、ＰＳＭＧ２１０、及びＨＬＲ２３１に関連した前述したＨＡＴの動作は、１Ｘパケットデータセッションを保持する場合、または、１Ｘアイドル状態でページングメッセージを受信したＨＡＴが無線ＬＡＮまたは無線ＭＡＮに接続されてプッシュデータを受信する場合に適用されることができる。
【００４３】
三番目に、図６を参照して、１ｘＥＶＤＯ接続網に接続したＨＡＴが音声呼の着信によって１Ｘ接続網に転換して、音声通話中であるときプッシュデータが発生した場合の実施形態を説明する。
【００４４】
図６を参照すると、ステップ６００で、ＨＡＴが１ｘＥＶＤＯアイドル状態から１ｘ接続網に転換するときに、１Ｘ ＢＳＳ２４０にレジスタメッセージを伝達することによって、ＨＡＴがＭＳＣ２３２及びＨＬＲ２３１を通じて回線網に接続されることを示す特定の情報をＰＳＭＧ２１０に知らせる。ＰＩ２００でプッシュデータが発生すると、ステップ６１０で、加入者ＵＲＩを含むプッシュ要請メッセージをＰＰＧ２０５に伝達する。プッシュ要請メッセージを受信したＰＰＧ２０５は、ステップ６１１で、ＨＡＴの接続状態を知るために加入者ＵＲＩを含むＨＡＴの状態問合せメッセージをＰＳＭＧ２１０に伝達する。ＨＡＴの状態問合せメッセージを受信したＰＳＭＧ２１０は、ステップ６１２で、ＤＢから必要な情報を検索してＵＲＩに該当するＨＡＴの接続状態、ＩＰアドレス、ＭＩＮ番号、及び接続網の種類を含むＨＡＴの状態伝達メッセージをＰＰＧ２０５に伝達する。この場合に、ＨＡＴが回線網に連結されず、またはＩＰアドレスが割り当てられない場合には、ＨＡＴの状態伝達メッセージにＩＰアドレスを含まない。ＨＡＴの状態伝達メッセージを受信したＰＰＧ２０５は、ステップ６２０で、ＨＡＴがＣＤＭＡ−２０００ １Ｘ接続網に接続された状態であるので、ＰＰＧ２０５が選択した接続網の種類を含むＨＡＴの連結要請メッセージをＰＳＭＧ２１０に伝達する。この場合に、ＰＰＧ２０５が１ｘＥＶＤＯ接続網を選択したものと仮定する。
【００４５】
ＨＡＴの連結要請メッセージを受信したＰＳＭＧ２１０は、ステップ６２１で、接続網の種類に該当するサービスオプション値とＨＡＴのＭＩＮ番号を含むＨＡＴの転換要請メッセージをＨＬＲ２３１に伝達する。ＨＡＴの転換要請メッセージを受信したＨＬＲ２３１は、ステップ６２２で、位置情報ＤＢからＨＡＴが接続中のＭＳＣ２３２のＩＤを検索して、ＭＩＮ番号とサービスオプション値を含む転換要請メッセージをＭＳＣ２３２に伝達する。転換要請メッセージを受信したＭＳＣ２３２は、ステップ６３０で、ＨＡＴが音声通話中であることを判断し、転換応答メッセージに‘通話中’の状態を表示してＨＬＲ２３１に伝達する。ＨＬＲ２３１は、ステップ６３１で、ＨＡＴの転換応答メッセージをＰＳＭＧ２１０に伝達する。
【００４６】
ＰＳＭＧ２１０は、ステップ６３２で、ＨＡＴの連結応答メッセージにＨＡＴが‘通話中’であることを表示してＰＰＧ２０５に伝達し、ステップ６４０で、ＨＬＲ２３１に状態追跡要請メッセージを伝達する。状態追跡要請メッセージを受信したＨＬＲ２３１は、ステップ６４１で、ＭＳＣ２３２に追跡要請メッセージを伝達する。従って、ＨＡＴの音声通話状態が他の状態に変わると、ＨＬＲ２３１に通報しなければならない。ステップ６５０で、ＭＳＣ２３２がＨＡＴの音声通話が終了したことを感知すると、ステップ６５１で、ＨＬＲ２３１に音声通話が終了したことを表示する状態通報メッセージを伝達する。状態通報メッセージを受信したＨＬＲ２３１は、ステップ６５２で、ＰＳＭＧ２１０にＨＡＴの状態通報メッセージを伝達して、ＨＡＴが音声通話を終了したことを知らせる。ＨＡＴの状態通報メッセージを受信して音声通話が終了されたことを判断したＰＳＭＧ２１０は、ＨＡＴの転換ステップを再び試みる。ステップ６６０、６６１、６６２、６６３、６６４は、図４のステップ４２１、４２２、４２３、４３０、及び４３１と同一である。この後に、ＨＡＴが１ｘＥＶＤＯ網に転換して、プッシュデータを受信するステップ６７０〜６９６は、上述した第１の実施形態のステップ４４０〜４７２と同一である。この場合に、ＰＰＧ２０５、ＰＳＭＧ２１０、及びＨＬＲ２３１に関連する上述したＨＡＴの動作は、音声通話中であるＨＡＴに伝達されたプッシュデータを音声通話が終了した後に、無線ＬＡＮまたは無線ＭＡＮ、そして、１Ｘパケット接続網を通じて伝達される場合にも適用することができる。
【００４７】
四番目に、図７を参照して、ＨＡＴが１ｘＥＶＤＯ接続網に接続される場合にプッシュデータが発生し、ＨＡＴが無線ＬＡＮを通じてプッシュデータを受信する場合の実施形態について説明する。  
【００４８】
ＰＩ２００から加入者に伝達するプッシュデータが発生し、ＰＩ２００とＨＡＴとの間にＴＣＰまたはＵＤＰセッション連結が必要な場合に、ステップ７００で、ＰＩ２００が加入者ＵＲＩを含む連結要請メッセージをＰＰＧ２０５に伝達する。連結要請メッセージを受信したＰＰＧ２０５は、ステップ７０１で、ＨＡＴの接続状態を知るために加入者ＵＲＩを含むＨＡＴの状態問合せメッセージをＰＳＭＧ２１０に伝達する。ＨＡＴの状態問合せメッセージを受信したＰＳＭＧ２１０は、ステップ７１０で、データベースから必要な情報を検索して、ＵＲＩに該当するＨＡＴの接続状態、ＩＰアドレス、ＭＩＮ番号、及び接続網の種類を含むＨＡＴの状態伝達メッセージをＰＰＧ２０５に伝達する。ＨＡＴの状態伝達メッセージを受信したＰＰＧ２０５が所望の接続網を選択する場合に、ステップ７２０で、無線ＬＡＮを選択し、接続網の種類を含むＨＡＴの連結要請メッセージをＰＳＭＧ２１０に伝達して、ＨＡＴを無線ＬＡＮに転換させる。ＨＡＴの連結要請メッセージを受信したＰＳＭＧ２１０は、ステップ７２１で、ＰＰＧ２０５が選択した接続網の種類を含むＳＩＰインビテイションメッセージ(invitation message)を１ｘＥＶＤＯ網を通じてＨＡＴに伝達する。ＳＩＰインビテイションメッセージを受信したＨＡＴがステップ７３０で無線ＬＡＮに転換することを判断すると、‘２００ ＯＫ’応答メッセージをＰＳＭＧ２１０に伝達し、無線ＬＡＮ転換を試みる。ＨＡＴから‘２００ ＯＫ’応答メッセージを受信したＰＳＭＧ２１０は、ステップ７３１で、この受信された‘２００ ＯＫ’応答メッセージをＰＰＧ２０５に伝達して、ＨＡＴの転換動作の開始を知らせる。ステップ７４０で、ＨＡＴが無線ＬＡＮに接続され、ステップ７５０で、ＨＡＴとＡＲとの間のＩＰ設定ステップを用いて新たなＩＰアドレスが割り当てられると、ステップ７６０で、新たなＩＰアドレスと接続網の種類を含むＳＩＰレジスタメッセージをＰＳＭＧ２１０に伝達する。ＳＩＰレジスタメッセージを受信したＰＳＭＧ２１０は、ステップ７７０で、ＤＢに加入者の新たな位置、ＩＰアドレス、及び接続網の種類を貯蔵し、ＨＡＴに‘２００ ＯＫ’応答メッセージを伝達する。ステップ７８０で、ＰＳＭＧ２１０は、ＨＡＴの新たなＩＰアドレスと接続網の種類を含むＨＡＴの連結応答メッセージをＰＰＧ２０５に伝達する。ＨＡＴの連結応答メッセージを受信したＰＰＧ２０５は、ステップ７８１で、ＨＡＴのＩＰアドレスを含む連結応答メッセージをＰＩ２００に伝達すると、ＰＩ２００は、ステップ７９０で、ＩＰアドレスを用いてＨＡＴにプッシュデータを伝達する。このＰＰＧ２０５、ＰＳＭＧ２１０、及びＨＡＴの動作は、１ｘＥＶＤＯ網に接続したＨＡＴが無線ＬＡＮ、ＭＡＮ、または、１Ｘパケット接続網に転換した場合のみならず、無線ＬＡＮまたは無線ＭＡＮに接続したＨＡＴが１ｘＥＶＤＯ接続網または１Ｘ接続網に転換する場合にも適用することができる。
【００４９】
ＨＬＲ２３１とＭＳＣ２３２との間で使用される転換要請メッセージ、転換応答メッセージ、追跡要請メッセージ、及び状態通報メッセージは、ＩＳ-４１ ＭＡＰで定義する既存のメッセージをそのままに使用することができ、修正することもできる。または、必要に応じて、新たなメッセージを定義することができる。ＰＳＭＧ２１０とＨＬＲ２３１との間で使用される回線網の接続通報メッセージ、ＨＡＴの転換要請メッセージ、及びＨＡＴの転換応答メッセージ、状態追跡要請メッセージ、及び他の状態通報メッセージは、ＩＳ-４１ ＭＡＰまたはＩＮＡＰなどで定義された既存のメッセージをそのままに使用することができ、修正することもできる。または、必要に応じて、新たなメッセージを定義することができる。
【００５０】
以上、本発明を具体的な実施形態を参照して詳細に説明してきたが、本発明の範囲は上述の実施形態によって限られるべきではなく、本発明の範囲内で様々な変形が可能であるということは、当該技術分野における通常の知識を持つ者には明らかである。
【図面の簡単な説明】
【００５１】
【図１】従来の技術に従うデータプッシュサービス網の構成を示すブロック図である。
【図２】本発明の一実施形態に従ってヘテロジーニアスネットワークを通じたデータプッシュサービスシステムの構成を示すブロック図である。
【図３】本発明の一実施形態に従ってヘテロジーニアスネットワークを通じたデータプッシュサービス方法を説明するためのフローチャートである。
【図４】本発明の一実施形態に従ってヘテロジーニアスネットワークを通じたデータプッシュサービスの信号フローを示すフローチャートである。
【図５】本発明の他の実施形態に従ってヘテロジーニアスネットワークを通じたデータプッシュサービスの信号フローを示すフローチャートである。
【図６】本発明のまた他の実施形態に従ってヘテロジーニアスネットワークを通じたデータプッシュサービスの信号フローを示すフローチャートである。
【図７】本発明のさらに他の実施形態に従ってヘテロジーニアスネットワークを通じたデータプッシュサービスの信号フローを示すフローチャートである。
【符号の説明】
【００５２】
１００；プッシュ初期化器(Push Initiator；ＰＩ)
１１０；プッシュ中継器(Push Proxy Gateway；ＰＰＧ)
１２０；パケットデータサービスノード(Packet Data Service Node : ＰＤＳＮ)
１３０；端末(Access Terminal；ＡＴ)
１４０；短文メッセージサービスセンター(Short Message Service Center；ＳＭＳＣ)
１５０；ＭＳＣ(Mobile Switching Center)
２００；プッシュ初期化器(Push Initiator；ＰＩ)
２０５；プッシュデータ中継器(Push Proxy Gateway；ＰＰＧ)
２１０；パケットサービス移動交換器(Packet Service & Mobility Gateway；ＰＳＭＧ)
２２０；ＰＤＳＮ／ＡＲ
２３１；加入者位置登録器(Home Location Register；ＨＬＲ)
２３２；ＭＳＣ
２４０；符号分割多重接続１Ｘ網
２５０；符号分割多重接続１ｘＥＶＤＯ網
２６０；無線ＬＡＮ／ＭＡＮ網
【図１】
2005094778.tif 000003
【図２】
2005094778.tif 000004
【図３】
2005094778.tif 000005
【図４】
2005094778.tif 000006
【図５】
2005094778.tif 000007
【図６】
2005094778.tif 000008
【図７】
2005094778.tif 000009
【外国語明細書】
2005094778.tif 000010
2005094778.tif 000011
2005094778.tif 000012
2005094778.tif 000013
2005094778.tif 000014
2005094778.tif 000015
2005094778.tif 000016
2005094778.tif 000017
2005094778.tif 000018
2005094778.tif 000019
2005094778.tif 000020
2005094778.tif 000021
2005094778.tif 000022
2005094778.tif 000023
2005094778.tif 000024
2005094778.tif 000025
2005094778.tif 000026
2005094778.tif 000027
2005094778.tif 000028
2005094778.tif 000029
2005094778.tif 000030
2005094778.tif 000031
2005094778.tif 000032
2005094778.tif 000033
2005094778.tif 000034